(57)【特許請求の範囲】
【請求項１】
情報を表示する表示部と、
使用する患者の情報である患者情報を記憶する記憶部と、
所定イベント発生時に前記記憶部に記憶されている前記患者情報を読み出し、前記患者情報に基づいた確認メッセージを前記表示部に表示する制御部と、
他の装置から送信される各種データを受信する受信部と、を有し、
前記制御部は、下記の（Ａ）〜（Ｅ）の少なくとも一つを検出した場合に前記所定イベントが発生したと判定すると共に、前記所定イベントの種別に応じて前記患者情報に含まれる情報から前記確認メッセージに用いる情報を特定する、医用テレメータ。
（Ａ）前記制御部は、前記受信部を介して他の装置から送信された前記患者情報の設定値を受信する。
（Ｂ）前記制御部は、自装置の電源ＯＦＦから電源ＯＮへの遷移を検出する。
（Ｃ）前記制御部は、自装置の電源ＯＦＦとなった最終日時を記憶部に書き込むことで記憶し、当該最終日時から電源ＯＮまでの差分が一定時間内であったことを検出する。
（Ｄ）前記制御部は、自装置の電源ＯＦＦとなった最終日時を記憶部に書き込むことで記憶し、当該最終日時から電源ＯＮまでの差分が一定時間以上であったことを検出する。
（Ｅ）前記制御部は、前記患者情報の少なくとも一部が未設定であり、その未設定の状態から一定時間以上後にも依然として未設定であることを検出する。
【請求項２】
前記確認メッセージの表示の際にアラーム音を出力する発音部、を更に備える、ことを特徴とする請求項１に記載の医用テレメータ。
【請求項３】
前記制御部は、
自装置の電源がＯＦＦになった日時を最終動作日時として前記記憶部に記憶させておき、当該最終動作日時からＯＮになった日時までの間の差分が一定時間以内である否かに応じて、前記確認メッセージの内容を変更する、ことを特徴とする請求項１または請求項２に記載の医用テレメータ。
【請求項４】
前記制御部は、
自装置の電池残量が所定時間以下となった場合の日時を前記最終動作日時として前記記憶部に書き込む、ことを特徴とする請求項３に記載の医用テレメータ。
【請求項５】
前記制御部は、前記差分が一定時間以内であった場合、前記患者情報に含まれる患者名の情報を含む前記確認メッセージを前記表示部に表示する、
ことを特徴とする請求項３に記載の医用テレメータ。
【請求項６】
前記制御部は、前記差分が一定時間以上であった場合、前記患者情報に含まれる患者名以外の情報を含む前記確認メッセージを前記表示部に表示する、
ことを特徴とする請求項３に記載の医用テレメータ。
【請求項７】
前記制御部は、前記所定イベントとして前記受信部を介して他の装置から送信された前記患者情報の設定値を受信したことを検出した場合、前記設定値を含む前記確認メッセージを前記表示部に表示する、
ことを特徴とする請求項１〜請求項６のいずれか１項に記載の医用テレメータ。
【請求項８】
前記制御部は、前記患者情報の少なくとも一部が未設定の状態から一定時間以上後にも依然として未設定である場合、前記患者情報の入力を促す前記確認メッセージを前記表示部に表示する、
ことを特徴とする請求項１〜請求項７のいずれか１項に記載の医用テレメータ。
【請求項９】
前記患者情報は、患者名、ＩＤ、性別、年齢、既往歴のうちの少なくとも一つの情報を含む、ことを特徴とする請求項１〜８のいずれか１項に記載の医用テレメータ。
【発明の詳細な説明】
【技術分野】
【０００１】
本発明は医用テレメータ、医療システム、及び医用テレメータ制御方法に関する。
【背景技術】
【０００２】
近年、セントラルモニタとの双方向無線通信を行うことが可能な医用テレメータが広く利用されている。このような医用テレメータに対し、患者の情報（例えば患者名等）を誤りなく確実に設定することが重要である。医用テレメータに対して患者の情報が正確に設定されていない状態の場合、患者取り違え等の問題が生じてしまう。
【０００３】
医用テレメータに対する患者情報の設定に関する技術として特許文献１が挙げられる。特許文献１には、セントラルモニタから患者の識別番号に加えて患者名を設定可能な患者側デバイスが開示されている（段落００１７等）。
【先行技術文献】
【特許文献】
【０００４】
【特許文献１】特表２００８−５１４３３２号公報
【発明の概要】
【発明が解決しようとする課題】
【０００５】
医用テレメータは、使用する患者が変わる毎に正確に患者情報を設定する必要がある。一般的に医用テレメータは、常に画面の表示ライトを点灯しているわけではなく、消灯している時間の方が長い。また医用テレメータの画面は小型化の要望に応えるために大きくない場合が多く、これに伴って設定された患者名等の表示が小さく見づらい場合がある。このような事情から、患者情報が正確に設定されていない医用テレメータをそのまま使用し続けてしまう恐れがある。
【０００６】
上述のように特許文献１には、セントラルモニタ側から患者側デバイスに対して患者名等の設定を行う構成が開示されている。しかしながら特許文献１には、設定されている患者情報を適切に確認することに関する示唆及び教示がない。
【０００７】
すなわち、特許文献１を含む従来の技術では、医用テレメータに設定された患者情報を適切に確認することができないという問題があった。
【０００８】
本発明はこの問題に鑑みてなされたものであり、設定された患者情報を適切に確認することができる医用テレメータ、医療システム、及び医用テレメータ制御方法を提供することを主たる目的とする。
【課題を解決するための手段】
【０００９】
本発明にかかる医用テレメータの一態様は、
情報を表示する表示部と、
使用する患者の情報である患者情報を記憶する記憶部と、
所定イベント発生時に前記記憶部に記憶されている患者情報を読み出し、当該患者情報に基づいた確認メッセージを前記表示部に表示する制御部と、
を有する、ものである。
【００１０】
上述の制御部は、患者情報を確認したほうが良いイベントが生じた場合に、患者情報に応じた確認メッセージを表示部に表示している。これにより医用テレメータのユーザは、患者情報（例えば患者名）が適切に設定されているか否かを確認でき、適切な設定が行われていない場合には設定変更を行うことができる。これにより医用テレメータに対する患者情報の適切な設定を徹底できる。
【発明の効果】
【００１１】
本発明は、設定された患者情報を適切に確認することができる医用テレメータ、医療システム、及び医用テレメータ制御方法を提供することができる。
【図面の簡単な説明】
【００１２】
【図１】実施の形態１にかかる医療システム１の構成を示す概念図である。
【図２】実施の形態１にかかる医用テレメータ１００の構成を示すブロック図である。
【図３】実施の形態１にかかるセントラルモニタ２００の構成を示すブロック図である。
【図４】実施の形態１にかかる医用テレメータ１００の表示制御処理を示すフローチャートである。
【図５】実施の形態１にかかる医用テレメータ１００による確認メッセージ表示の処理を示す図である。
【図６】実施の形態１にかかる医用テレメータ１００による確認メッセージ表示の処理を示す図である。
【図７】実施の形態１にかかる医用テレメータ１００による確認メッセージ表示の処理を示す図である。
【図８】実施の形態１にかかる医用テレメータ１００による確認メッセージ表示の処理を示す図である。
【図９】実施の形態１にかかる医用テレメータ１００による確認メッセージ表示の処理を示す図である。
【図１０】実施の形態１にかかるセントラルモニタ２００の表示画面例を示す図である。
【発明を実施するための形態】
【００１３】
＜実施の形態１＞
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本実施の形態にかかる医療システム１０の構成を示す概念図である。医療システム１０は、主に病院内において使用されるシステムである。医療システム１０は、患者の生体データ（心電図、呼吸等の生体情報）を送信する複数の医用テレメータ１００（１００−１、１００−２、・・・、１００−ｎ）と、これらの医用テレメータ１００（１００−１、１００−２、・・・、１００−ｎ）から送信される生体データを受信して表示するセントラルモニタ２００と、を備える。なお以下の説明において、複数の医用テレメータ１００−１、１００−２、・・・、１００−ｎのいずれかを特定しない場合には、「医用テレメータ１００」と表記する。
【００１５】
医用テレメータ１００とセントラルモニタ２００は、無線通信によりデータ送受信が相互に可能な構成である。たとえば医用テレメータ１００とセントラルモニタ２００は、ＷＩＦＩ規格を用い、アクセスポイントを介した無線通信処理によりデータの送受信を行う。なお医用テレメータ１００は、図１とは異なり、２本のアンテナ（送信用アンテナと受信用アンテナ）を有し、送信用チャネルや受信用チャネルを介した送受信を行う構成であってもよい。すなわち医用テレメータ１００とセントラルモニタ２００は、データ送受信を双方向で行える構成であればどのような通信技術を用いてもよい。
【００１６】
医用テレメータ１００の各々は、患者が携帯できる程度の大きさ及び重さの装置である。医用テレメータ１００の詳細構成を、図２を参照して説明する。医用テレメータ１００は、生体信号入力部１１０、テレメータ側送受信部１２０、アンテナ１３０、テレメータ側記憶部１４０、ＣＰＵ１５０、テレメータ側表示部１６０、発音部１７０、及びテレメータ側操作部１８０を有する。
【００１７】
生体信号入力部１１０は、患者に装着されている電極やトランスデューサ等と電気的に接続し、これらから出力される心電図、呼吸、血圧、脈波等の測定データが入力される。生体信号入力部１１０は、入力された測定データをＣＰＵ１５０に供給する。
【００１８】
テレメータ側送受信部１２０は、生体信号入力部１１０からの測定データ、及びＣＰＵ１５０からの各種データをアンテナ１３０を介してセントラルモニタ２００に送信する。またテレメータ側送受信部１２０は、セントラルモニタ２００から送信される各種データ（患者情報の設定値を含む）を受信する。テレメータ側送受信部１２０は、受信した各種データをＣＰＵ１５０に供給する。
【００１９】
アンテナ１３０は、セントラルモニタ２００との通信処理に使用されるアンテナ装置である。アンテナ１３０は、例えばＷＩＦＩアンテナである。
【００２０】
テレメータ側記憶部１４０は、患者情報の設定値を含む各種のデータを記憶する記憶装置である。例えばテレメータ側記憶部１４０は、不揮発性メモリもしくはハードディスクであってもよく、医用テレメータ１００に着脱可能に構成されたＵＳＢ（Universal Serial Bus）メモリ等であってもよい。またテレメータ側記憶部１４０は、ＣＰＵ１５０により使用される一時的な記憶装置（例えばキャッシュメモリ）も含む概念である。
【００２１】
ここでテレメータ側記憶部１４０が記憶する患者情報とは、医用テレメータ１００を使用する患者の患者名、ＩＤ、性別、年齢、既往症等の情報である。すなわち患者情報とは、医用テレメータ１００を使用する患者に関連する情報である。当該患者情報は、後述するテレメータ側操作部１８０から入力されてもよく、セントラルモニタ２００を介して設定されてもよい。
【００２２】
ＣＰＵ１５０（制御部）は、医用テレメータ１００の制御を行うものであり、各種プログラムをテレメータ側記憶部１４０から読み出して実行する。またＣＰＵ１５０は、生体信号入力部１１０から供給された測定データに対してノイズフィルタリングや増幅等の信号処理を実行し、処理後の測定データをテレメータ側記憶部１４０に格納する。ＣＰＵ１５０は、この測定データを用いて各種波形や測定値をテレメータ側表示部１６０に表示する。更にＣＰＵ１５０は、所定のイベントが発生した際にテレメータ側記憶部１４０内の患者情報を読み出し、読み出した患者情報に応じた確認メッセージをテレメータ側表示部１６０に表示させる。
【００２３】
ここで、確認メッセージの表示のトリガーとなる所定のイベントとは、例えば以下のようなものが想定される。
（１）他装置（好適にはセントラルモニタ２００）から患者情報の設定登録（または設定変更）を受け付けたこと
（２）医用テレメータ１００の電源がＯＦＦからＯＮに切り替わったこと
（３）前回の確認メッセージの表示から所定の時間が経過したが、適切に患者情報が設定されていないこと
【００２４】
なお上述のイベント（（１）〜（３））は、あくまでも一例であり、医用テレメータ１００の管理者がイベントの内容を新規登録できる構成であってもよい。確認メッセージの表示制御の詳細は、図４〜図９を参照して後述する。
【００２５】
テレメータ側表示部１６０は、医用テレメータ１００の筐体上に設けられたＬＣＤ（Liquid Crystal Display）やＣＲＴ（Cathode Ray Tube）等の表示装置である。テレメータ側表示部１６０には、各種の生体パラメータの測定値（呼吸数等）及び生体信号波形等が表示される。またテレメータ側表示部１６０には、ＣＰＵ１５０の制御に従って、患者情報（例えば患者名）の確認メッセージが表示される。
【００２６】
発音部１７０は、電子音やメッセージ等を患者に発するスピーカである。発音部１７０は、ＣＰＵ１５０の制御により患者状態の異常を通知するアラームを出力する。また発音部１７０は、テレメータ側記憶部１４０内に患者情報が適切に設定されていない場合に注意を喚起するアラームを出力してもよい。
【００２７】
テレメータ側操作部１８０は、ユーザ（主に患者または看護師等）からの入力を受け付ける入力インターフェイスである。テレメータ側操作部１８０は、例えば医用テレメータ１００の筐体上に設けられたボタン等により構成される。ユーザは、各種測定パラメータ（例えば体温、ＳｐＯ２等）の測定開始や停止の操作指示、測定した生体データの送信開始指示、送信停止指示、等をテレメータ側操作部１８０を介して入力する。またテレメータ側操作部１８０を操作して、患者情報（例えば患者名）を入力できる構成であってもよい。
【００２８】
なおテレメータ側表示部１６０とテレメータ側操作部１８０が一体化された構成、すなわちタッチパネルのような構成であってもよい。
【００２９】
続いて図３を参照して、セントラルモニタ２００の構成を説明する。セントラルモニタ２００は、複数の医用テレメータ１００（１００−１〜１００−ｎ）とデータ送受信が可能に構成される。セントラルモニタ２００は、モニタ側送受信部２１０、アンテナ２２０、モニタ側記憶部２３０、ＣＰＵ２４０、モニタ側表示部２５０、及びモニタ側操作部２６０を備える。なおセントラルモニタ２００においても、モニタ側表示部２５０とモニタ側操作部２６０が一体化された構成、すなわちタッチパネルのような構成であってもよい。
【００３０】
モニタ側送受信部２１０は、アンテナ２２０を介して医用テレメータ１００とのデータ送受信を行う。上述のようにセントラルモニタ２００は、複数の医用テレメータ１００−１〜１００−ｎとデータ送受信をできる構成である。モニタ側送受信部２１０は、医用テレメータ１００−１〜１００−ｎからそれぞれ測定データを受信し、受信した測定データをモニタ側記憶部２３０に格納する。
【００３１】
モニタ側記憶部２３０は、セントラルモニタ２００内に設けられた各患者の測定データ等を記憶する記憶装置である。モニタ側記憶部２３０は、好適にはセントラルモニタ２００に内蔵されたハードディスクである。
【００３２】
ＣＰＵ２４０は、セントラルモニタ２００の制御を行うものであり、各種プログラムをモニタ側記憶部２３０から読み出して実行する。またＣＰＵ２４０は、各患者の測定データを監視する。そしてＣＰＵ２４０は、異常値となった場合にモニタ側表示部２５０に警告表示を行わせたり、図示しないスピーカを介してアラームを出力させる。またＣＰＵ２４０は、モニタ側送受信部２１０を介して医用テレメータ１００内の患者情報の設定状況を取得する。そしてＣＰＵ２４０は、各医用テレメータ１００（すなわち各患者）の患者情報をモニタ側表示部２５０に表示する。患者情報の表示例は図１０を参照して後述する。
【００３３】
モニタ側表示部２５０は、セントラルモニタ２００の筐体上に設けられたＬＣＤ（Liquid Crystal Display）やＣＲＴ（Cathode Ray Tube）等の表示装置である。モニタ側表示部２５０には、各患者（各医用テレメータ１００）の測定値（呼吸数等）及び生体信号波形等が表示される。
【００３４】
モニタ側操作部２６０は、セントラルモニタ２００に設けられた入力インターフェイス（例えばボタン、キーボード等）である。ユーザ（主に看護師や医師）は、モニタ側操作部２６０を操作して、医用テレメータ１００の患者情報を設定（または変更）する。設定（または変更）の際の動作については図５を参照して後述する。
【００３５】
続いて図４のフローチャートを参照して医用テレメータ１００による確認メッセージ表示の動作概念について説明する。医用テレメータ１００内のＣＰＵ１５０は、所定のイベント（例えば上記の（１）〜（３））が生じたか否かを常時判定する（Ｓ１）。所定のイベントが生じた場合（Ｓ１：Ｙｅｓ）、ＣＰＵ１５０はテレメータ側記憶部１４０から患者情報を読み出し、読み出した患者情報を用いた確認メッセージをテレメータ側表示部１６０に表示する（Ｓ２）。
【００３６】
ここで確認メッセージは、「患者名は、○○です。」（“○○”は読み出した患者名）といった固定のメッセージでもよいが、Ｓ１において発生したイベントの種別に応じて確認メッセージを変更することが好ましい。イベントに応じた確認メッセージの例は、図５〜図９を参照して説明する。
【００３７】
続いて図５を参照して、「セントラルモニタ２００から医用テレメータ１００の患者情報が設定される」といったイベント（上記（１））が生じた場合の確認メッセージの表示処理について説明する。図５（及び以下の図面）において、実線箇所は医用テレメータ１００又はセントラルモニタ２００の動作を示し、点線箇所はテレメータ側表示部１６０に表示される確認メッセージまたは記憶部に格納された患者情報を示している。
【００３８】
ユーザ（主に看護師）は、モニタ側操作部２６０を操作して医用テレメータ１００の患者情報を設定する（Ｓ１１）。以下の説明では、患者情報として「患者名」を設定するものとする。図５の例では、ユーザは患者名として「○田×夫」を設定している。セントラルモニタ２００は、設定された患者情報（患者名＝“○田×夫”）を医用テレメータ１００に送信する（Ｓ１２）。
【００３９】
テレメータ側送受信部１２０は、セントラルモニタ２００から送信された患者情報を受信する（Ｓ１２）。ＣＰＵ１５０は、受信した患者情報をテレメータ側記憶部１４０に書き込む（Ｓ１２）。このイベント（患者情報の受信し、テレメータ側記憶部１４０に書き込む処理）をトリガーとして、ＣＰＵ１５０は患者情報をテレメータ側記憶部１４０から読み出し、読み出したテレメータ側記憶部１４０を基に生成した確認メッセージをテレメータ側表示部１６０に表示する（Ｓ１３）。図５の例では、「患者名は「○田×夫」でよろしいですか？」という確認メッセージがテレメータ側表示部１６０に表示される（Ｓ１３）。なお当該確認メッセージのポップアップにおいて「再設定」ボタンが押下された場合、医用テレメータ１００は、テレメータ側操作部１８０またはセントラルモニタ２００から患者情報の再設定を行わせる制御を行う。
【００４０】
実機での表示イメージは、例えば図６のようになる。図６は、医用テレメータ１００の外観及びテレメータ側表示部１６０の表示例を示す概念図である。図示するように設定された患者名が分かる確認メッセージがポップアップ形式で画面上に表示されている。
【００４１】
続いて図７を参照して、「医用テレメータ１００の電源がＯＦＦからＯＮに切り替わったこと」というイベント（上記（２））が生じた場合の確認メッセージの表示処理について説明する。
【００４２】
医用テレメータ１００のユーザにより、電源がＯＦＦにされたものとする（Ｓ２１）。その後に医用テレメータ１００のユーザは、電源をＯＮにする（Ｓ２２）。この電源ＯＮ（Ｓ２２）というイベントをトリガーとして、医用テレメータ１００内のＣＰＵ１５０は確認メッセージの表示処理を行う（Ｓ２３）。具体的にはＣＰＵ１５０は、テレメータ側記憶部１４０から患者名の設定値を読み出し、読み出した患者名を用いた確認メッセージをテレメータ側表示部１６０に表示する。図７の例では、確認メッセージとして「患者名は「○田×夫」でよろしいですか？」が表示されている。
【００４３】
なお、医用テレメータ１００が電源ＯＦＦとなっていた時間の長さに応じたメッセージ制御を行うことも可能である。図８を参照して当該メッセージ制御の詳細を説明する。
【００４４】
医用テレメータ１００は、電源ＯＦＦの操作がされた場合に当該操作日時を最終動作日時としてテレメータ側記憶部１４０に記録する（Ｓ３１、Ｓ４１）。なお電池切れにより予期しない電源ＯＦＦが生じる場合もある。そのため医用テレメータ１００は、電池残量が一定値以下（例えば電源切れ３０分前）になった場合の日時を最終動作日時として記録してもよい。その後に医用テレメータ１００のユーザは、電源をＯＮにする（Ｓ３２）。ＣＰＵ１５０は、現在日時（電源ＯＮになった日時）と最終動作日時の差分が一定時間以内（例えば４８時間以内）であるか否かを判定する。
【００４５】
一定時間以内であった場合（図８（Ａ））、ＣＰＵ１５０はテレメータ側記憶部１４０から患者情報を読み出して確認メッセージを生成する。図８（Ａ）の例では、「患者名は「○田×夫」でよろしいですか？」という確認メッセージが表示される（Ｓ３３）。すなわち「短時間の電源ＯＦＦの後に電源ＯＮに遷移する」というイベントが生じた場合、ＣＰＵ１５０は読み出した患者名を用いた確認メッセージを表示している。
【００４６】
一方、電源ＯＦＦであった時間が一定時間以上であった場合（図８（Ｂ））、ＣＰＵ１５０はテレメータ側記憶部１４０から患者情報を読み出す。ＣＰＵ１５０は読み出した患者情報のうち、患者名を除く情報を用いて確認メッセージを生成する。図８（Ｂ）の例では、「この医用テレメータの使用者として５９歳の男性が設定されています。」という確認メッセージが表示される（Ｓ４３）。このように医用テレメータ１００を使用する患者が代わっている可能性が高い場合には、以前の患者が特定できないような情報を用いた確認メッセージにする。すなわち「長時間の電源ＯＦＦの後に電源ＯＮに遷移する」というイベントが生じた場合、ＣＰＵ１５０は患者名以外の患者情報を用いた確認メッセージを表示している。
【００４７】
続いて図９を参照して、「患者名未設定のまま所定時間以上経過した」といったイベント（上記（３））が生じた場合の確認メッセージの表示処理について説明する。例えば電源ＯＮに切り替わったような場合（図７と同様）、ＣＰＵ１５０はテレメータ側記憶部１４０から患者情報を読み出す。図９の例では患者名が設定されていないものとする（Ｓ５１）。そのためＣＰＵ１５０は、患者名の設定を促す確認メッセージ（「あなたの名前を入力してください。」）を表示する（Ｓ５２）。
【００４８】
ＣＰＵ１５０は、当該確認メッセージの表示から一定時間後（例えば１分後）に患者情報が適切に設定されているか否かを判定する（Ｓ５３）。図９の例では、依然として患者名が設定されていない。そのためＣＰＵ１５０は、患者名の設定を促す確認メッセージを再度表示する（Ｓ５４）。
【００４９】
以上が確認メッセージの表示例である。なおＣＰＵ１５０は、確認メッセージの表示の際に発音部１７０によるアラームの鳴動も合わせて行うように制御してもよい。またアラームの鳴動を行う場合、表示する確認メッセージの種別に応じてアラーム音を変化させてもよい。
【００５０】
またセントラルモニタ２００側の表示例についても図１０を参照して説明する。上述のようにセントラルモニタ２００と各医用テレメータ１００（１００−１〜１００−ｎ）は、無線通信機能により通信を行う。ここで医用テレメータ１００は、測定データと共に自装置の患者情報の設定内容をセントラルモニタ２００に通知する。セントラルモニタ２００内のＣＰＵ２４０は、各医用テレメータ１００−１〜１００−ｎに対応する測定データと患者情報の設定内容をモニタ側表示部２５０に表示する。図１０は、モニタ画面の一例である。
【００５１】
ＣＰＵ２４０は、各医用テレメータ１００−１〜１００−ｎの患者情報が適切に設定されているか否かを判定し、適切に設定されていない場合には該当機の患者名等の表示欄をハイライトして表示（図１０斜線部）する。これによりセントラルモニタ２００の使用者（主に看護師）は、患者情報が適切に設定されていないことを容易に認識することができる。
【００５２】
続いて本実施の形態にかかる医療システム１０及び医用テレメータ１００の効果について説明する。医用テレメータ１００は、患者情報を管理し、患者情報を確認したほうが良いイベント（例えば上記（１）〜（３））が生じた場合には、患者情報に応じた確認メッセージを表示している。これにより医用テレメータ１００のユーザは、患者情報（例えば患者名）が適切に設定されているか否かを確認でき、適切な設定が行われていない場合には設定変更を行うことができる。これにより、医用テレメータ１００に対する患者情報の適切な設定を徹底でき、患者取り違え等の問題が生じる可能性を大幅に減らすことができる。
【００５３】
また図５〜図９に示すように、ＣＰＵ１５０は患者情報を確認したほうが良いイベントの種別（例えば上記（１）〜（３））に応じて確認メッセージの内容を変化させている。これにより医用テレメータ１００のユーザは、患者情報の設定内容の詳細や、どのような対応をすればよいかを適切に把握することができる。例えばＣＰＵ１５０は、患者情報が適切に設定されていない場合には入力を促すメッセージを表示する（図９）。これにより医用テレメータ１００のユーザ（または当該ユーザを担当する看護師等）は、患者情報の入力を速やかに行うことができる。
【００５４】
また医用テレメータ１００は、確認メッセージの表示の際にアラーム音を出力することも可能である。これにより医用テレメータ１００のユーザは、患者情報の設定状態をより確実に把握することができる。
【００５５】
医用テレメータ１００は、電源のＯＮ／ＯＦＦに伴って最終動作日時を記憶しておき、ＯＦＦとなっていた間の時間が一定時間以上であるかに応じて、患者名を表示しないように制御することも可能である（図８）。長い間使われていなかった医用テレメータ１００は、使用する患者が代わっている可能性が高い。この場合、以前の患者の名前が表示されてしまうとプライバシーの観点から問題が生じる。しかし上述の制御（図８）を行うことにより、医用テレメータ１００が長い間使用されていなかった場合でも、患者名を特定せずに患者情報の設定状態を確認することができる。
【００５６】
また医用テレメータ１００は、電池残量が所定時間以下（所定量以下）となった時の日時を最終動作日時として管理することも可能である。これにより突然の電池切れによる動作停止が生じた場合であっても、適切な確認メッセージの表示を行うことができる。
【００５７】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５８】
上述の説明では、確認メッセージはテレメータ側記憶部１４０から読み出した患者情報を基に生成した。例えば患者名が設定されていない場合には「あなたの名前を入力してください。」（図９）、患者名が設定されている場合には「患者名は「○田×夫」でよろしいですか？」（図５）、長時間の電源ＯＦＦとなっていた場合には患者名以外の患者情報を用いて「この医用テレメータの使用者として５９歳の男性が設定されています。」（図８（Ｂ））といった確認メッセージが表示されている。
【００５９】
しかしながらＣＰＵ１５０は、長時間の電源ＯＦＦが続いたような場合には、患者情報を参照せずに確認メッセージを生成してもよい。ＣＰＵ１５０は、電源ＯＦＦとなった時間が一定時間以上となっていることを検出する。例えば３日以上の電源ＯＦＦが続いた場合には、「患者情報を再設定してください。」という確認メッセージが表示されるようにしてもよい。
【００６０】
長時間の電源ＯＦＦが続いている場合には使用する患者が代わっている可能性が非常に高い。そのため一定時間以上の電源ＯＦＦが続いた場合には強制的に患者情報を再設定させることにより、患者情報を正確な状態に正しく保つことができる。
【００６１】
上述のＣＰＵ１５０による処理は、医用テレメータ１００内で動作するコンピュータプログラムとして実現することができる。同様にＣＰＵ２４０による処理は、セントラルモニタ２００内で動作するコンピュータプログラムとして実現することができる。ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６２】
１０  医療システム
１００  医用テレメータ
１１０  生体信号入力部
１２０  テレメータ側送受信部
１３０  アンテナ
１４０  テレメータ側記憶部
１５０  ＣＰＵ
１６０  テレメータ側表示部
１７０  発音部
１８０  操作部
２００  セントラルモニタ
２１０  モニタ側送受信部
２２０  アンテナ
２３０  モニタ側記憶部
２４０  ＣＰＵ
２５０  モニタ側表示部
２６０  モニタ側操作部
【図１】
0006410549.tif 000002
【図２】
0006410549.tif 000003
【図３】
0006410549.tif 000004
【図４】
0006410549.tif 000005
【図５】
0006410549.tif 000006
【図６】
0006410549.tif 000007
【図７】
0006410549.tif 000008
【図８】
0006410549.tif 000009
【図９】
0006410549.tif 000010
【図１０】
0006410549.tif 000011